(57)【要約】【課題】ケーブル本数を削減して簡便に設置することができ、過酷な動作環境下でも正確に情報の送受信を行うことができる情報送受信システムを提供する。【解決手段】２以上の検出器５と２以上の検出器５からの情報を選別収集する情報選別収集部３との間で情報を交換する情報送受信システムにおいて、両端が情報選別収集部３に接続されたケーブル４と、２以上の検出器５のそれぞれに設けられケーブル４の外表面越しに結合しケーブル４を介して情報選別収集部３と情報を交換する結合部６とを備え、結合部６は、ケーブル４を一次コイルとして、この一次コイルと電磁的に感応する二次コイルを備えている。【選択図】　図１
2004072627.tif 000002
【特許請求の範囲】
【請求項１】
２以上の端末と前記２以上の端末からの情報を選別収集する情報選別収集手段との間で情報を交換する情報送受信システムにおいて、
両端が前記情報選別収集手段に接続されたケーブルと、
前記２以上の端末のそれぞれに設けられ前記ケーブルの外表面越しに結合し前記ケーブルを介して前記情報選別収集手段と情報を交換する結合部とを備え、
前記結合部は、前記ケーブルを一次コイルとして、この一次コイルと電磁的に感応する二次コイルを備えていることを特徴とする情報送受信システム。
【請求項２】
請求項１に記載の情報送受信システムにおいて、
前記結合部は、前記ケーブルに対して前記ケーブルの外表面から環装する結合手段を備え、
前記結合手段は、少なくとも一部が開閉可能に構成され、前記ケーブルに対して着脱可能であり、
前記二次コイルは、前記結合手段に設けられていることを特徴とする情報送受信システム。
【請求項３】
請求項１または２に記載の情報送受信システムにおいて、
前記情報選別収集手段から前記ケーブルに交流電流が送電され、
前記交流電流が送電されている間は、前記端末は前記結合部を介してこの交流電流から電力を取得することを特徴とする情報送受信システム。
【請求項４】
請求項１〜３のいずれかに記載の情報送受信システムにおいて、
前記情報選別収集手段は、前記結合部に対して前記端末の情報を送信させる情報送信指令を与え、
それぞれの前記結合部は、それぞれの前記端末に対して予め設定される所定の情報送信タイミングを記憶する情報送信タイミング記憶手段と、
前記端末からの情報を一時記憶しておく情報記憶手段とを備え、
前記情報送信指令を受けてからそれぞれの前記情報送信タイミングにあわせて前記情報記憶手段に一時記憶された前記情報を前記情報選別収集手段に送信することを特徴とする情報送受信システム。
【請求項５】
請求項４に記載の情報送受信システムにおいて、
前記情報選別収集手段からの前記情報送信指令は、前記交流電流の送電を所定時間停止することであり、
前記情報送信タイミングは、前記情報送信指令から前記各端末毎に異なる応答遅れ時間として設定されることを特徴とする情報送受信システム。
【請求項６】
請求項１〜５のいずれかに記載の情報送受信システムにおいて、
前記ケーブルは、前記情報選別収集手段から出発する往路と前記情報選別収集手段に戻る復路がツイストまたは平行密着されていることを特徴とする情報送受信システム。
【請求項７】
請求項１〜６のいずれかに記載の情報送受信システムにおいて、
前記結合部は、電磁的に感応している状態の前記二次コイルおよび前記ケーブルの電磁的感応部分を外部からの電磁ノイズに対してシールドするシールド部材を備えていることを特徴とした情報送受信システム。
【請求項８】
請求項１〜７のいずれかに記載の情報伝送システムにおいて、
前記結合部は、前記端末の情報を前記情報選別収集手段で受信可能な統一プロトコルに変換するプロトコル変換手段を備えていることを特徴とする情報送受信システム。
【請求項９】
請求項１〜８のいずれかに記載の情報送受信システムにおいて、
前記端末は、位置、変位、間隔などの機械的量を検出する検出器であることを特徴とする情報送受信システム。
【発明の詳細な説明】
【０００１】
【発明の属する技術分野】
本発明は、情報送受信システムに関する。例えば、複数の端末と外部処理手段との間で情報を送受信する情報送受信システムに関する。
【０００２】
【背景技術】
複数の端末と外部処理手段との間で情報を送受信するように構築された情報送受信システムが知られている。
例えば、端末としては、被測定対象の位置、変位、間隔等の機械的量を検出して検出結果を外部に出力する検出器などがある。
従来の情報送受信システム１においては、図７に示されるように、外部処理手段２からそれぞれの検出器５（第１検出器、第２検出器・・・）に対してケーブル４２を設けて、検出器５と外部処理手段２を接続する。このとき、ケーブル４２と検出器５との接続およびケーブル４２と外部処理手段２との接続は、プラグとリセプタクルによって接続される。
このような構成において、各種の検出器５からの検出結果が検出情報として外部処理手段２に送信され、この外部処理手段２で集中処理される。また、外部処理手段２から送信される命令を受信して各検出器５が動作を行うものである。
【０００３】
情報送受信システム１としては、上記のように外部処理手段２から各検出器５に対してケーブル４２を並列的に配線するものに対して、一本の共有伝送路（母線）に複数の分岐線を設けて、この分岐線に各検出器を接続するものも知られている。
【０００４】
【発明が解決しようとする課題】
しかしながら、外部処理手段２から各検出器５にケーブル４２を並列的に設けた場合、ケーブル４２の長さが総合的に長大化してしまう。ケーブル４２が長くなればなるほど電磁ノイズの影響を受けやすくなり、正確に情報を送受信できなくなるという問題が生じる。
検出器５の数が膨大（例えば百以上）になると、各検出器５までの異なる長さのケーブル４２をすべて用意して、これを配線し、さらに配線の管理や保守を行うには人手と手間がかかるという問題がある。
ケーブル４２と各検出器５との接続およびケーブル４２と外部処理手段２の接続がプラグとリセプタクルであると、この接続部分にゴミや油などが付着して接点性能が劣化するという問題がある。特に、実際の工場内では、ゴミ、油、クーラントなどの影響を受ける極めて過酷な動作環境となる。接続部にクーラントプルーフなどの対策を講じるとなると、検出器５の数だけ対策数が必要となり、膨大なコストがかかってしまうという問題がある。
【０００５】
共有伝送路から分岐線を設ける形式によれば、ケーブル４２の長大化を防ぐことはできる。しかしながら、共有伝送路から各検出器５に向かって伸びる分岐線の位置が固定されているので、検出器５の配置に応じて種々の形状のケーブルを用意しなければならない。検出器５の配置が変れば、配置に応じた分岐線を持つケーブル４２に付け替えなければならない。各接合部にクーラントプルーフなどの対策を講じたケーブル４２を何本も用意するとなれば大変高価についてしまう。
【０００６】
本発明の第１の目的は、従来の問題を解消して、ケーブル本数を削減して簡便に設置することができる情報送受信システムを提供することであり、本発明の第２の目的は、過酷な動作環境下でも正確に情報の送受信を行うことができる情報送受信システムを提供することにある。
【０００７】
【課題を解決するための手段】
上記目的を達成するために、本発明の情報送受信システムは、２以上の端末と前記２以上の端末からの情報を選別収集する情報選別収集手段との間で情報を交換する情報送受信システムにおいて、両端が前記情報選別収集手段に接続されたケーブルと、前記２以上の端末のそれぞれに設けられ前記ケーブルの外表面越しに結合し前記ケーブルを介して前記情報選別収集手段と情報を交換する結合部とを備え、前記結合部は、前記ケーブルを一次コイルとして、この一次コイルと電磁的に感応する二次コイルを備えていることを特徴とする。
【０００８】
このような構成において、情報選別収集手段から出発して再び情報選別収集手段に戻ってくるように両端が情報選別収集手段に接続されたケーブルに対して端末が設けられる。端末は、結合部によってケーブルの外表面ごしにケーブルに結合するとともに、二次コイルによってケーブルと電磁的に感応して情報を交換する構成である。例えば、情報選別収集手段に両端が接続された一本のケーブルを工場内にぐるりと配設し、このケーブルの外表面ごしに複数の端末を結合部で取り付ける。
情報選別収集手段からの信号は、ケーブルを一次コイルとして、この一次コイルに感応する二次コイルとの電磁カップリングによって結合部により受信される。
端末からの情報は、二次コイルからケーブル（一次コイル）に伝えられて情報選別収集手段に送られる。
【０００９】
情報選別収集手段に両端を接続されたケーブルを共有伝送路とするので、各端末にケーブルを引く場合に比べてケーブルの長さを短くできる。何本ものケーブルを配線する手間も必要がなく簡便である。
結合部は、ケーブルの外表面から結合して、コイルの電磁カップリングによって情報を交換できる。よって、端末の取り付け位置は任意であり、端末の配置に応じて最適な取付位置に取り付けることができる。その結果、固定された分岐線を有するケーブルを用いる場合のように、端末の配置に応じて種々のケーブルを用意する必要がなく、コストを削減することができる。
ケーブルと結合部とは、電気的な接点を介しての信号送受信ではなく、ケーブル（一次コイル）と二次コイルとの電磁カップリングで信号送受信を行う。よって、ゴミ、油、クーラントなどが存在する工場などの過酷な環境下でも、結合部とケーブルとの間で正確に情報の受け渡しをすることができる。
【００１０】
前記結合部は、前記ケーブルに対して前記ケーブルの外表面から環装する結合手段を備え、前記結合手段は、少なくとも一部が開閉可能に構成されて前記ケーブルに対して着脱可能であり、前記二次コイルは、前記結合手段に設けられていることが好ましい。
このような構成によれば、結合手段を開閉してケーブルの外表面越しにケーブルを掴むように結合部を取り付けることができる。よって、端末の取り付けが簡便であり、端末の配置換えも容易である。
結合手段に二次コイルが設けられているので、結合手段を取りつけたときに二次コイルがケーブルと電磁カップリングを構成することができる。
【００１１】
前記情報選別収集手段から前記ケーブルに交流電流が送電され、前記交流電流が送電されている間は、前記端末は前記結合部を介してこの交流電流から電力を取得することが好ましい。
このような構成によれば、各端末はケーブルによって伝送される電力によって動作するので、端末に電池などの電源を設ける必要がない。よって、端末の電池を交換する手間が必要ないので、保守管理を簡略化することができる。
【００１２】
前記情報選別収集手段は、前記結合部に対して前記端末の情報を送信させる情報送信指令を与え、それぞれの前記結合部は、それぞれの前記端末に対して予め設定される所定の情報送信タイミングを記憶する情報送信タイミング記憶手段と、前記端末からの情報を一時記憶しておく情報記憶手段とを備え、前記情報送信指令を受けてからそれぞれの前記情報送信タイミングにあわせて前記情報記憶手段に一時記憶された前記情報を前記情報選別収集手段に送信することが好ましい。
【００１３】
このような構成において、結合部は、端末からの情報を情報記憶手段に記憶しておく。情報送信タイミング記憶手段は、予め各端末ごとに設定される情報送信タイミングを記憶している。情報選別収集手段からケーブルに情報送信指令が送られると、各結合部は、自分に与えられた送信タイミングで記憶している情報をケーブルにのせて送信する。
各端末からは、予め設定された送信タイミングで情報が送られてくるので、情報選別手段では、この送信タイミングを参照して受信した情報がどの端末からの情報かを認識することができる。
各端末に対してそれぞれ異なる送信タイミングを設定しておけば、各端末から送られてくる情報が重なってしまうことがないので、情報選別収集手段で正しく情報を受信することができる。
【００１４】
前記情報選別収集手段からの前記情報送信指令は、前記交流電流の送電を所定時間停止することであり、前記情報送信タイミングは、前記送信指令から前記各端末毎に異なる応答遅れ時間として設定されることが好ましい。
このような構成において、情報選別収集手段から交流電流の送電を停止すれば、この停止から予め設定された所定時間ずつ送れて各端末から順次情報が送られてくる。交流電流を停止するだけでよいので、特別に情報送信指令を送る必要がなく簡便である。情報送信タイミングとして送信指令からの遅れ時間を設定する際に、各端末ごとに異なる時間を設定しておけば、各端末からの情報が重なることがなく、情報選別収集手段で正確に情報を受信することができる。
【００１５】
前記ケーブルは、前記情報選別収集手段から出発する往路と前記情報選別収集手段に戻る復路がツイストまたは平行密着されていることが好ましい。
このような構成において、ケーブルの往路と復路とをより合わせてツイストさせることにより、ケーブルに乗ったノイズを相殺して打ち消すことができる。よって、信号を正確に伝送することができる。また、ケーブルを平行密着させれば、閉コイルが形成されないので外部磁界によってケーブルにノイズが発生しない。よって、信号を正確に伝送することができる。
【００１６】
前記結合部は、電磁的に感応している状態の前記二次コイルおよび前記ケーブルの電磁的感応部分を外部からの電磁ノイズに対してシールドするシールド部材を備えていることが好ましい。
このような構成によれば、ケーブルと二次コイルとの間で信号の受け渡しを行う際に、信号に電磁ノイズが影響しないので、二次コイルとケーブル（一次コイル）とが信号の受け渡しを正確に行うことができる。
【００１７】
前記結合部は、前記端末の情報を前記情報選別収集手段で受信可能な統一プロトコルに変換するプロトコル変換手段を備えていることが好ましい。
このような構成によれば、各端末からの情報を情報選別手段で統一されたプロトコルで受信して、この情報を外部処理手段で集中的に処理することができる。
【００１８】
前記端末は、位置、変位、間隔などの機械的量を検出する検出器であることが好ましい。
このような構成において、この情報送受信システムを工場内に構築して、ケーブルに検出器を取り付ける。すると、各検出器による検出結果を情報選別収集手段で収集し、この収集した情報を外部の外部処理手段などで集中処理することができる。その結果、各検出器による検出情報を効率よく処理することができる。
【００１９】
【発明の実施の形態】
以下、本発明の実施の形態を図面に基づいて説明する。
本発明の情報送受信システムの一実施形態を図１に示す。
この情報送受信システム１は、情報を集中的に処理する外部処理手段としてのコンピュータ２と、このコンピュータ２に設けられ情報および電力を送受信する情報選別収集手段としての情報選別収集部３と、情報選別収集部３に両端が接続されたケーブル４と、ケーブル４に対して結合部６によって取り付けられた端末としての検出器５とを備えて構成されている。
【００２０】
情報選別収集部３は、ケーブル４に高周波電流を流して検出器５に電力を送電する。また、情報選別収集部３は、ケーブル４を介して検出器５から送信される情報を受信する。情報選別収集部３は、受信した情報をどの検出器５から送られてきた情報であるか選別した後、コンピュータ２に送る。情報選別収集部３は、通常はケーブル４に高周波電流を送電するが、検出器５に対して信号を送る場合や検出器５からの情報を受信する場合などには、高周波電流の送電を停止する。高周波電流の送電は各検出器５に対して電力を与えるのみではなく、高周波電流の送電を停止したり点滅させたりすることで指令を与える信号も兼ねるものであるが、詳しくは図５、６を用いて後述する。
コンピュータ２では、送られた情報を処理して、処理結果を例えばプリンタなどの外部出力器などに出力させる。
【００２１】
ケーブル４は、両端が情報選別収集部３に接続され、例えば、図２に示されるように各検出器５の付近を通るように配線されている。ケーブル４は、情報選別収集部３から出発する往路と情報選別収集部３に戻ってくる復路とがより合わされたツイスト処理をされている。ケーブル４には、外部からの電磁ノイズを遮断するシールド外皮４１が設けられている。
【００２２】
検出器５は、被測定対象Ｗの位置、変位、間隔等の機械的量を検出して検出結果（情報）を外部に出力できるものである。例えば、ダイヤルゲージやリニアゲージなど様々な測定に使用される種々の検出器５が用意される。ケーブル４に接続される検出器５の種類や数は特に限定されるものではなく、例えば、工場内で使用されるすべての検出器５であってよい。検出器５を動作させる電力は情報選別収集部３からケーブル４で送られてくる電力でまかなわれるので、検出器５は電池などの一次電池を備えていない。
【００２３】
検出器５は、それぞれ結合部６によってケーブル４に取り付けられている。
結合部６は、図３（Ａ）に示されるように、ケーブル４をシールド外皮４１の上からリング状に環装することによりケーブル４を把持するものである。
結合部６の構成は、図３（Ｂ）の断面図に示されるように、円環を分割した磁性体からなる結合手段としての分割磁性体コア６１と、この分割磁性体コア６１に巻きまわされた二次コイル６２と、分割磁性体コア６１および二次コイル６２を覆い外部の電磁ノイズを遮断するシールド部材としてのシールドカバー６３と、検出器５と情報選別収集部３との間の情報および電力の交換を制御する結合部内回路７とを備えて構成されている。
【００２４】
分割磁性体コア６１は、分割部分が開閉可能に構成されている。分割磁性体コア６１を開閉することにより、結合部６をケーブル４に対してワンタッチで着脱させることができる。
二次コイル６２は、ケーブル４を一次コイルとした電磁カップリングを構成するコイルである。ケーブル４に高周波電流が送電されてきたときには、二次コイル６２で誘導電流を起電する。検出器５による検出結果（情報）は、二次コイル６２からケーブル４に印加されて、情報選別収集部３に送られる。
シールドカバー６３は、図３に示されるように、分割磁性体コア６１および二次コイル６２を覆うように設けられている。図３（Ｂ）に示されるように、分割磁性体コア６１がケーブル４に取り付けられると、シールドカバー６３は、ケーブル４および二次コイル６２を包み込み、ケーブル４と二次コイル６２との電磁的感応部分を外部からの電磁ノイズに対してシールドしている。
【００２５】
結合部内回路７の構成を図４に示す。結合部内回路７は、受信モードと送信モードを切換える受信送信切換スイッチ７１と、二次コイル６２で受けた電力を充電する充電器７３と、二次コイル６２で受けた電力の電圧を検出する電圧検出器７５と、受信モードで信号を受信するための信号受信スイッチ７６と、受信した信号を処理する受信処理回路７７と、送信する信号を処理する送信処理回路８０と、信号の受信送信を制御する中央制御回路８３とを備えて構成されている。
【００２６】
受信送信切換スイッチ７１は、中央制御回路８３からの制御信号によって受信モードと送信モードとを切換える。情報選別収集部３から送られてくる電力や信号を受信する受信モードでは、二次コイル６２と受信側接点７２とを接続する。結合部内回路７から情報選別収集部３に情報を送信する送信モードでは、二次コイル６２と送信側接点７３とを接続する。
【００２７】
充電器７３は、情報選別収集部３から送信された高周波電流により二次コイル６２で起電された電力を充電（蓄電）する。二次コイル６２に起電された電力は、受信送信切換スイッチ７１の受信側接点７２から整流器７４を通って充電器７３で充電される。充電器７３に蓄電された電力は、結合部内回路７を動作させることに加え、検出器５に送電されて検出器５を動作させる動力として用いられる。
【００２８】
電圧検出器７５は、二次コイル６２に起電する電力の電圧を検出して、検出結果を電圧検出信号として中央制御回路８３に出力する。情報選別収集部３から高周波電流の送電が停止されたり送電が点滅したりして電圧検出器７５で検出される電圧が変化したとき、受信モードを送信モードに切換えるなどのモードの変更が行われる。中央制御部８３は電圧検出器７５からの電圧検出信号を受けて受信送信切換スイッチ７１や信号受信スイッチ７６をＯＮ／ＯＦＦして、受信または送信を行うことになるが、受信および送信での信号のやり取りは図５、６を用いて後述する。
【００２９】
信号受信スイッチ７６は、高周波電流からの電力を蓄電するときや結合部内回路７から信号を送信するときにはＯＦＦにされ、情報選別収集部３からの信号を受信する場合には中央制御回路８３からの制御信号によってＯＮにされる。
【００３０】
受信処理回路７７は、情報選別収集部３から送信され二次コイル６２で受信された信号を増幅する増幅器７８と、増幅された信号を復調する復調回路７９とを備えて構成されている。復調回路７９で復調された信号は中央制御回路８３に出力される。
【００３１】
送信処理回路８０は、中央制御回路８３からの情報を統一されたプロトコルに変換するプロトコル変換器８１と、情報を送信波に変調する変調器８２とを備えて構成されている。変調器８２で変調された情報は、受信送信切換スイッチ７１の送信側接点７３から二次コイル６２に送られ、二次コイル６２からケーブル４に印加されて情報選別収集部３に送られる。プロトコル変換器８１でのプロトコル変換は、この情報送受信システム１で利用される統一されたプロトコルであればよく、その種類は特に限定されるものではない。変調器８２での変調は、この情報送受信システム１で統一された変調方式であればよく、その種類は特に限定されるものではない。ＦＭ（周波数変調）、ＡＭ（振幅変調）、ＰＭ（位相変調）などシステムに応じて適宜選択されればよい。
【００３２】
中央制御回路８３は、電圧検出器７５からの電圧検出信号を受けて電圧が検出されない時間をカウントするカウンタ８４と、カウンタ８４でカウントされた時間に応じて受信送信切換スイッチ７１および信号受信スイッチ７６のスイッチを制御するスイッチ制御部８５と、各検出器５に対して設定される送信タイミングを記憶するとともに情報を送信するタイミングを指示する情報送信タイミング記憶手段としての送信タイミング記憶部８６と、検出器５での検出結果を情報として一時記憶する情報記憶手段としてのメモリ８７とを備えて構成されている。
【００３３】
カウンタ８４は、電圧検出器７５からの電圧検出信号により、電圧が検出されない時間をカウントする。つまり、情報選別収集部３からの高周波電流が停止されたり点滅されたりした場合に、高周波電流が送電されない時間をカウントする。カウントの結果から高周波電流の送電パターンを判断し、このパターンに応じてスイッチ制御部８５および送信タイミング記憶部８６に信号を出力するが、これについては、図５、６を用いて後述する。
【００３４】
スイッチ制御部８５は、カウンタ８４でカウントされた電圧の停止または点滅のパターンに応じて受信送信切換スイッチ７１および信号受信スイッチ７６を制御するものである。高周波電流の送電パターンとスイッチ制御の関係については、図５、６を用いて後述する。
【００３５】
送信タイミング記憶部８６は、各検出器５に対して予め設定された情報送信のタイミングを記憶して、情報選別収集部３から情報送信の指令があった場合には、記憶した送信タイミングに従って情報送信のタイミングを指示する。設定される送信タイミングは、情報選別収集部３からの送信指令からの応答遅れ時間として設定される。すなわち、情報選別収集部３から送信指令を受けた後、設定された時間遅れて、情報を送信する指令をメモリ８７に出力する。送信タイミングの設定や、送信指令から遅れて情報送信の指示を出す点については、図５、６を用いて後述する。
【００３６】
メモリ８７は、検出器５で検出された検出結果（情報）を一時記憶する。メモリ８７は、送信タイミング記憶部８６から送信タイミングになった旨の指令を受けて、プロトコル変換器８１に記憶している情報を出力する。
【００３７】
図５を用いて、送信タイミング記憶部８６に送信タイミングを設定する手順を説明する。図５は、情報選別収集部３と結合部内回路７との間で行われる電力および信号のやり取りを示すタイムチャートである。
情報選別収集部３は、通常は高周波電流Ｐ１をケーブル４に送電している。この高周波電流は二次コイル６２に誘導起電力を発生させ、二次コイル６２で起電された電力は充電器７３に充電される。
【００３８】
送信タイミング記憶部８６に送信タイミングを設定する場合には、まず、高周波電流を二回点滅させて、結合部内回路７に対して送信タイミングを設定するモードへ移行することを指令する。すなわち、通常の高周波電流Ｐ１の後、２回の５０μ秒の停止を挟んで２００μ秒の送電Ｐ２、Ｐ３を行う。
高周波電流の点滅Ｐ２、Ｐ３が行われると、二次コイル６２で起電される電圧が点滅する。この電圧の点滅は電圧検出器７５で検出され、カウンタ８４で電圧の点滅間隔である５０μ秒をカウントする。カウンタ８４で高周波電流の点滅Ｐ２、Ｐ３がカウントされると、カウンタ８４からスイッチ制御部８５に対して送信タイミング設定の信号を受信するスイッチ制御を行うように指令が出力される。スイッチ制御部８５は、情報選別収集部３から送られてくる送信タイミング設定のための信号を受信するために信号受信スイッチ７６のスイッチをＯＮにするとともに、結合部内回路７から情報選別収集部３に信号を送信するべく受信送信切換スイッチ７１を送信側接点７３に繋ぐ。
【００３９】
送信タイミング記憶部８６は、高周波電流の点滅Ｐ２、Ｐ３の指令を受けて送信タイミングを設定するモードに移行したことを情報選別収集部３に伝える確認信号ＩＤを出力する。この確認信号ＩＤは、プロトコル変換器８１、変調器８２で処理された後、二次コイル６２からケーブル４に印加されて情報選別収集部３に送信される。確認信号ＩＤを送信した後、受信送信切換スイッチ７１は受信側接点７２へ切換えられる。
以後、スイッチの切換えについては特に記載しないが、送信または受信のタイミングにあわせてスイッチ制御部８５で適宜制御されるものとする。
【００４０】
情報選別収集部３は、結合部内回路７からの確認信号ＩＤを受けた後、検出器５に対して設定すべき送信タイミングの設定値ＤＬＴを結合部内回路７に対して送信する。送信タイミングとしての設定値ＤＬＴは、情報選別収集部３からの情報送信指令を受けてから情報を送信するまでの応答遅れ時間であり、それぞれの検出器５に対して異なる値が設定される。
情報選別収集部３から送信される送信タイミングの設定値ＤＬＴは、受信処理回路７７で増幅、復調されて送信タイミング記憶部８６に記憶される。
送信タイミング記憶部８６は、記憶した送信タイミングを照合するべく情報選別収集部３に対して今設定された設定値ＤＬＴを照合信号ＶＦＤとして送り返す。
【００４１】
情報選別収集部３は、照合信号ＶＦＤを受けると、送信タイミングの設定が完了したとして結合部内回路７に完了信号ＣＭＰを送信する。完了信号ＣＭＰは、受信処理回路７７から送信タイミング記憶部８６に送られて、送信タイミング記憶部８６は、設定された送信タイミングをホールドする。
次に、設定された送信タイミングの確認を実際に行う。情報選別収集部３は、完了信号ＣＭＰを送信したあと、１秒間通常の高周波電流Ｐ４を送電する。結合部内回路７では、この高周波電流Ｐ４で充電器７３に充電を行う。情報選別収集部３は、１秒間の高周波電流Ｐ４の後、高周波電流を停止する。電圧検出器７５およびカウンタ８４で高周波電流が１００μ秒間停止されたことが検出されると、カウンタ８４は情報選別収集部３から情報の送信指令が出されたと判断し、送信タイミング記憶部８６に情報の送信を指令する。
【００４２】
送信タイミング記憶部８６は、カウンタ８４からの情報送信の指令を受けると、設定された応答遅れ時間ＤＬＴをまって、メモリ８７に情報の送信を指令する。
メモリ８７は、送信タイミング記憶部８６からの指令を受けて、予め用意されたテスト情報ＴＤを送信処理回路に出力する。テスト情報ＴＤは、送信処理回路８０で処理された後、二次コイル６２からケーブル４に印加されて情報選別収集部３に送られる。
情報選別収集部３は、テスト情報ＴＤが、設定した送信タイミングで送られてきたどうかを確認する。送信タイミングが正しい場合には、送信タイミングの設定が正常に行われたとして、送信タイミングの設定を終了する。送信タイミングの設定が終了した後は、通常の高周波電流の送電を行う。
送信タイミングが正しくない場合には、再び始めからやり直す。一連の送信タイミングの設定作業においてエラーが生じた場合にも、はじめからやり直す。
【００４３】
このような構成からなる情報送受信システム１の動作について説明する。
まず、ケーブル４を工場内に配線し、このケーブル４に各検出器５を取り付ける。検出器５をケーブル４に取り付ける際には、結合部６の分割磁性体コア６１を開いて、ケーブル４に環装する。
検出器５をケーブル４に取り付けたのち、情報選別収集部３から高周波電流を送電して結合部内回路７の充電器７３の充電を行う。充電が完了したところで、各検出器５に対して情報の送信タイミングの設定を行う。
送信タイミングの設定が終了したのち、各検出器５を用いて、それぞれ被測定物Ｗの測定を行う。検出結果は、検出器５から結合部内回路７のメモリ８７に出力されて記憶される。
【００４４】
各検出器５での測定が一通り終わると、情報選別収集部３に各検出器５から情報を集める。
情報選別収集部３に情報を集める場合、各検出器５に対して情報の送信指令として情報選別収集部３からの高周波電流Ｐの送電が図６に示されるように、１００μ秒停止される。高周波電流Ｐの送電が１００μ秒停止され、電圧検出器７５およびカウンタ８４でこの高周波電流Ｐの停止が確認されると、カウンタ８４から送信タイミング記憶部８６に情報の送信指令を受けたとして情報の送信が指示される。すると、送信タイミング記憶部８６は、設定された応答遅れ時間ＤＬＴを待って、設定された送信タイミングでメモリ８７に情報の送信を指示する。
メモリ８７は、情報の送信指令を受けると、記憶した情報を送信処理回路８０に出力する。送信処理回路８０で処理された情報は、二次コイル６２からケーブル４に印加されて、情報選別収集部３に送られる。
【００４５】
各検出器５に対して設定された送信タイミングはそれぞれ異なっているので、図６に示されるように、第１検出器から情報Ｓ１が送られて来た後、第２検出器から情報Ｓ２が送られてくる。各検出器からの情報Ｓ１、Ｓ２・・・はそれぞれ設定された送信タイミングの順番で送られてくる。情報選別収集部３は送られてきた情報のタイミング、すなわち高周波電流Ｐを停止してからの応答遅れ時間ＤＬＴを参照して、送られてきた情報の送り主（検出器５）を特定する。情報選別収集部３は、各検出器５から受信した情報をコンピュータ２に送って、コンピュータ２で情報は処理される。
【００４６】
このような構成からなる情報送受信システム１によれば、次の効果を奏することができる。
（１）各検出器５からの情報をケーブル４を介してコンピュータ２に集約し、集中的に処理することができる。よって、各検出器５による検出結果を処理、管理する効率が向上する。
（２）二次コイル６２とケーブル４とは、電気的接触ではなく、電磁カップリングによって信号の送受信を行うので、ゴミや油、クーラントなどが存在する工場などの過酷な環境でも、正確に情報の受け渡しを行うことができる。
（３）各検出器５は、結合部６によって一本のケーブル４に取り付けることができる。よって、各検出器５に対してそれぞれ一本ずつケーブルを配線する手間を省くことができる。また、それぞれの検出器５にケーブルを引く場合に比べてケーブルの総合的な長さを短くできるので電磁ノイズの影響を受けにくい。
【００４７】
（４）ケーブル４は、電磁ノイズを遮断するシールド外皮４１を備えるとともに、より合わされたツイスト処理がなされている。よって、外部からの電磁ノイズがケーブル４に入りにくく、また、ノイズが入ってもツイスト処理により相殺することができる。その結果、検出器５と情報選別収集部３との間で正確な情報の伝送を行うことができる。
（５）情報選別収集部３から高周波電流が送電され、この電力によって検出器５が動作するので、検出器５に電池を設ける必要がない。よって、検出器５の電池を交換するなどの手間を省くことができる。
【００４８】
（６）結合部６は、ケーブル４をシールド外皮４１の上から環装してケーブル４を把持するので、結合部６の取付位置は固定されない。よって、工場内の検出器５の配置を変更した場合でも、簡便にケーブル４に対する取付位置を変えることができる。従来の共有伝送路から分岐線を有するケーブルを検出器５の配置を変えるたびに新たに作り直す場合に比べて手間もコストもかからない。
（７）結合部６は開閉できる分割磁性体コア６１で構成されているので、分割磁性体コア６１を開閉することにより、検出器５を簡便にケーブル４に取り付けることができる。
【００４９】
（８）結合部６には、外部からの電磁ノイズを遮断するシールドカバー６３が設けられ、二次コイル６２とケーブル４との電磁的感応部分がシールドされるので、二次コイル６２とケーブル４との間で信号のやり取りをする場合でも信号にノイズが入ることなく、正確に信号交換できる。
（９）ケーブル４と結合部６との取付部分が外部に出ていないので、ゴミや油、クーラントなどの影響を受けることなく、ケーブル４と結合部６との間の信号の伝送を常に良好に保つことができる。よって、ゴミ、油、クーラントなどがある過酷な環境下でも正常に信号の伝送を行うことができる。
（１０）結合部内回路７には、プロトコル変換器８１が設けられ、情報送受信システム１で統一されたプロトコルを用いるので、信号の送信および受信を正確にスムーズに行うことができる。
【００５０】
（１１）送信タイミング記憶部８６が設けられ、各検出器５に対して設定される送信タイミングとしてそれぞれ異なる応答遅れ時間が設定される。よって、各検出器５からの情報が順番に送られてくるので、情報選別収集部３で送られてきた情報を順番に受け取って、設定した送信タイミングと参照することにより送り主の検出器５を特定することができる。各検出器５からの送信タイミングが異なっているので、情報が重なってしまうことがなく、情報選別収集部３で正確に情報を受け取ることができる。
（１２）情報選別収集部３から各検出器５に対する情報の送信指令として、高周波電流の停止を行う。よって、特別に情報送信指令などを送る必要がなく簡便である。
【００５１】
尚、本発明の情報送受信システム１は、上記実施形態にのみ限定されるものではなく、本発明の要旨を逸脱しない範囲内において種々変更を加え得ることは勿論である。
上記実施形態においては、ケーブル４は一本であったが、ケーブル４は、一本でなくても２本、３本あってもよい。ケーブル４の本数を工場内の検出器５の配置にあわせて２本や３本など数本に増やせば、ケーブル一本ずつの長さが短くなるので、信号がケーブル４を伝送する間に電磁ノイズの影響を受けにくくなる。また、２本や３本にしても、従来のように検出器５の数だけケーブルを引くことに比べれば配線作業は格段に簡略化されている。
【００５２】
ケーブル４は、ツイスト処理でよりあわされているとしたが、平行密着処理がなされていてもよい。ケーブル４が平行密着されると、閉コイルが形成されないので、外部磁界によってケーブル４にノイズが混入することがない。よって、ケーブル４によって信号を正確に伝送することができる。
ケーブル４は、絶縁性の皮膜を備えていてもよく、この場合、シールド外皮４１に絶縁性を付加してもよい。
結合部６は、絶縁性の皮膜を備えていてもよく、この場合、シールドカバー６３に絶縁性を付加してもよい。
【００５３】
情報選別収集部３から各検出器５に対する情報の送信指令として高周波電流を１００μ秒停止するものとしたが、これに限らず、情報送信指令として特別な信号があってもよい。
端末は、検出器５に限らず、パソコン等の情報を出入力する電子機器であってもよい。
【００５４】
【発明の効果】
以上、説明したように本発明の情報送受信システムによれば、ケーブル本数を削減して簡便に設置することができ、過酷な動作環境下でも正確に情報の送受信を行うことができるという優れた効果を奏し得る。
【図面の簡単な説明】
【図１】本発明の情報送受信システムの一実施形態を示す図である。
【図２】前記実施形態において、端末をケーブルに取り付けた全体の様子を示す図である。
【図３】前記実施形態において、結合部で端末をケーブルに取り付ける様子を示す図である。
【図４】前記実施形態において、結合部内回路の構成を示す図である。
【図５】前記実施形態において、検出器に送信タイミングを設定するタイムチャートである。
【図６】前記実施形態において、情報選別収集部と検出器との間の信号のやり取りを示すタイムチャートである。
【図７】従来の情報送受信システムを示す図である。
【符号の説明】
１　　　情報送受信システム
２　　　コンピュータ（外部処理手段）
３　　　情報選別収集部（情報選別収集手段）
４　　　ケーブル
５　　　検出器
６　　　結合部
４１　　　シールド外皮
６１　　　分割磁性体コア（結合手段）
６２　　　二次コイル
６３　　　シールドカバー（シールド部材）
８１　　　プロトコル変換器（プロトコル変換手段）
【図１】
2004072627.tif 000003
【図２】
2004072627.tif 000004
【図３】
2004072627.tif 000005
【図４】
2004072627.tif 000006
【図５】
2004072627.tif 000007
【図６】
2004072627.tif 000008
【図７】
2004072627.tif 000009